(57)【要約】  光収集装置（light collection device）は、光ガイド本体部（１８０）と、離間された複数の切れ込み（１００）とを含む。切れ込み（１００）は、光ガイド本体部（１８０）内のアンダーカットにより形成される。切れ込み（１００）側面がファセットを形成し、ファセット（１００）に当たる光の方向を変える。幾つかの実施形態において、光収集本体（１８０）は、光電池（２００）に取り付けられる。光収集本体に当たっている光は、切れ込み（１００）による光電池（２００）へ方向が変更される。光電池（２００）は、光を電気エネルギーに変換する。
2012501556.tif 000002
【特許請求の範囲】
【請求項１】
光電池と、
長さにわたって光の伝搬をサポートする光伝搬性材料からなる光転向本体と、
を備え、
前記光転向本体は、
第１主面と、前記第１主面に対向する第２主面と、前記光転向本体内に配置されていると共に互いに離間している複数の第１切り込みとを有し、
前記複数の第１切り込みの各切り込みは、
前記１主面又は前記第２主面のうちの１つにおけるアンダーカットにより形成されており、前記第１主面に入射する光を前記光電池へ転向させる光収集装置。
【請求項２】
前記複数の第１切り込みの各切り込みは、第１ファセット及び第２ファセットによって少なくとも部分的に画成される横断面形状を有し、前記第１ファセットと前記第２ファセットとが互いに向かい合っている、請求項１に記載の光収集装置。
【請求項３】
前記ファセットのそれぞれは、前記光ガイド本体部の表面に延びており、
前記切れ込みは、前記光ガイド本体部の表面に対して開放されている、請求項２に記載の光収集装置。
【請求項４】
前記複数の第１切り込みの各切り込みの前記第１ファセット及び前記第２ファセットは、互い実質的に平行である、請求項２に記載の光収集装置。
【請求項５】
前記第１ファセットと前記第１主面との間の角度は、前記複数の第１切り込み間において変化する、請求項２に記載の光収集装置。
【請求項６】
前記第１ファセットの表面積は、前記複数の第１切り込み間において変化する、請求項２に記載の光収集装置。
【請求項７】
前記横断面形状は、実質的に平行四辺形である、請求項２に記載の光収集装置。
【請求項８】
前記切れ込みの表面上に反射防止被覆層を更に備える、請求項１に記載の光収集装置。
【請求項９】
前記複数の第１切り込みは、前記第１主面におけるアンダーカットにより形成される、請求項１に記載の光収集装置。
【請求項１０】
前記光転向本体は、
複数の第２切れ込みを更に備え、
前記複数の第２切れ込みの切り込みは、前記第２主面におけるアンダーカットにより形成される、請求項９に記載の光収集装置。
【請求項１１】
前記複数の第１切れ込みは、数、横断面形状、寸法及び前記切り込みと前記主面との間の角度のうち一つ以上において、前記複数の第２切れ込みと異なる、請求項１０に記載の光収集装置。
【請求項１２】
前記光ガイド本体部は、照明装置を形成し、
前記光収集装置は、
光を前記光ガイド本体部を介して伝搬させるように構成された光源と、
前記１主面又は前記第２主面の一方又は両方におけるアンダーカットにより形成される切れ込みと、
を更に備え、
前記切れ込みが前記第１主面及び前記第２主面の一方又は両方を介して前記光ガイド本体部から離れる前記光源からの前記光を導くように構成されている、請求項１０に記載の光収集装置。
【請求項１３】
ディスプレイと、
前記ディスプレイと通信すると共に画像データを処理するように構成されているプロセッサと、
前記プロセッサと通信するように構成されるメモリデバイスと、を更に備える、請求項１に記載の光収集装置。
【請求項１４】
前記ディスプレイに少なくとも一つの信号を送信するように構成されるドライバ回路を更に備える、請求項１３に記載の光収集装置。
【請求項１５】
前記ドライバ回路に前記画像データの少なくとも一部を送信するように構成されたコントローラを更に備える、請求項１４に記載の光収集装置。
【請求項１６】
前記プロセッサに前記画像データを送信するように構成された画像ソース・モジュールを更に備える、請求項１３に記載の光収集装置。
【請求項１７】
前記画像ソース・モジュールは、受信機、送受信機及び送信機のうちの少なくとも１つを備える、請求項１６に記載の光収集装置。
【請求項１８】
入力データを受信し、前記プロセッサに前記入力データを送信するように構成された入力装置を更に備える、請求項１３に記載の光収集装置。
【請求項１９】
前記光ガイド本体部は、ディスプレイ光（a display light）を構成し、
前記光収集装置が、前記光ガイド本体部を介して前記ディスプレイへ光を伝搬するように構成された光源を更に備える、請求項１３に記載の光収集装置。
【請求項２０】
前記光源からの前記光を前記ディスプレイへ転向させるように構成された複数の第３切れ込みを更に備え、
前記複数の第３切れ込みは、前記第１主面及び前記第２主面の一つ以上におけるアンダーカットにより形成されている、請求項１９に記載の光収集装置。
【請求項２１】
前記光ガイド本体部が、互いに向かい合っている第１端部及び第２端部と、互いに向かい合っている第３端部及び第４端部と、互いに向かい合っている前記第１主面及び前記第２主面により画成されており、
前記第１主面及び前記第２主面は、前記第１端部、前記第２端部、前記第３端部及び前記第４端部の間に延びている、請求項２０に記載の光収集装置。
【請求項２２】
前記複数の第１切り込み及び前記複数の第３切り込みが、一つ以上の同じ切り込みを備える、請求項２０に記載の光収集装置。
【請求項２３】
前記第１端部におけるアンダーカットにより形成される複数の第４切れ込みを更に備える、請求項２１に記載の光収集装置。
【請求項２４】
前記複数の第４切れ込みは、前記第３端部から伝搬する光を前記光ガイド本体部にわたって、前記第２端部へ転向させるように構成されている、請求項２３に記載の光収集装置。
【請求項２５】
前記ディスプレイが複数の干渉変調器を備え、
前記干渉変調器が画素素子を形成する、請求項１９に記載の光収集装置。
【請求項２６】
前記複数の第１切れ込みは、互いに離間する同心円又は同心半円を画成する、請求項１に記載の光収集装置。
【請求項２７】
前記光電池は、前記光転向本体の端部に直近して配置されている、請求項２６に記載の光収集装置。
【請求項２８】
前記光電池が、前記同心円の中心に直近して配置されている、請求項２６に記載の光収集装置。
【請求項２９】
前記同心円の中心に直近して配置された少なくとも一つの付加的な光電池を更に備え、
前記光電池及び前記少なくとも一つの付加的な光電池が少なくとも２つの異なる方向へ向かっていると共に、前記複数の第１切り込みの切り込みから転向された光を受光するように構成されている、請求項２８に記載の光収集装置。
【請求項３０】
前記同心円の中心に直近している屈折構造を更に備え、
前記屈折構造は、前記複数の第１の切れ込みの切り込みから転向された光を前記光電池へ転向させるように構成されている、請求項２６に記載の光収集装置。
【請求項３１】
前記光転向本体は、第１の垂直レベルに配置されており、
前記光電池は、第２の垂直レベルに配置されている、請求項３０に記載の光収集装置。
【請求項３２】
前記光転向本体に積み重なっている一つ以上の追加的な光転向本体を更に備え、
前記一つ以上の追加的な光転向本体の各々は、前記一つ以上の追加的な光転向本体におけるアンダーカットによって形成される複数の切れ込みを備える、請求項１に記載の光収集装置。
【請求項３３】
前記光転向本体のそれぞれの切り込みは、該光転向本体の他の切り込みと、数、横断面形状、寸法、及び前記切れ込みと該切れ込みが形成されている前記転向本体の面との間で画成された角度の一つ以上において異なっている、請求項３２に記載の光収集装置。
【請求項３４】
前記光転向本体の端部は六角形を画成する、請求項１に記載の光収集装置。
【請求項３５】
前記光収集装置の主面に入射する光を光転向本体を介して伝搬させるように光を導く第１手段と、
前記光を受光して、該光を電気エネルギーに変換する第２手段と、
を備える光収集装置。
【請求項３６】
前記第１手段が、前記光転向本体の表面におけるアンダーカットにより形成される複数の切れ込みを有する、請求項３５に記載の光収集装置。
【請求項３７】
前記切れ込みは、前記光転向本体の表面の下に配置される開放容積である、請求項３６に記載の光収集装置。
【請求項３８】
前記光転向本体は、フラットフィルムである、請求項３６に記載の光収集装置。
【請求項３９】
前記第２手段が光電池を備える、請求項３５に記載の光収集装置。
【請求項４０】
前記光転向本体を介して画像をディスプレイする第３手段を更に備える、請求項３５に記載の光収集装置。
【請求項４１】
前記第３手段が、複数の干渉変調器を備え、
前記干渉変調器が画素素子を形成する、請求項４０に記載の光収集装置。
【請求項４２】
光転向本体の表面におけるアンダーカットにより形成される複数の切れ込みのファセットに当たる光を転向するステップを備え、
前記光は、前記光転向本体を介して光受信機に転向される光収集方法。
【請求項４３】
前記光を転向させるステップは、太陽輻射を転向する工程を備える、請求項４２に記載の光収集方法。
【請求項４４】
前記光受信機は、光電池であり、
光を電気エネルギーに変換するステップを更に備える、請求項４２に記載の光収集方法。
【請求項４５】
前記光転向本体が、互いに向かい合っている第１端部及び第２端部と、互いに向かい合っている第３端部及び第４端部、前記第１端部、前記第２端部と、前記第３端部及び前記第４端部の間に延びると共に互いに向かい合っている第１主面及び第２主面とにより画成されており、
前記複数の切れ込みは、前記第１主面のアンダーカットにより形成される、請求項４２に記載の光収集方法。
【請求項４６】
前記第２主面のアンダーカットにより形成される複数の第２切れ込みを提供するステップを更に備え、
前記複数の第２切れ込みは、前記光を前記光転向本体を介して前記光受信機へ転向するように構成されている、請求項４５に記載の光収集方法。
【請求項４７】
一つ以上の追加的な光転向本体を提供するステップを更に備え、
前記一つ以上の追加的な光転向本体が前記光転向本体に積み重なっており、
前記一つ以上の追加的な光転向本体のそれぞれが、前記一つ以上の追加的な光転向本体のアンダーカットにより形成された複数の切れ込みを備える、請求項４６に記載の光収集方法。
【請求項４８】
前記光転向本体の前記切れ込みは、
前記光転向本体に第１角度で入射する光を転向させるように構成されており、
前記一つ以上の追加的な光転向本体の切り込みが、
前記光転向本体に入射する光を前記第１角度と異なる一つ以上の角度で光転向させるように構成されている、請求項４７に記載の光収集方法。
【請求項４９】
ディスプレイを形成するステップを更に備え、
前記光転向本体の前記主面は前記ディスプレイの表面に取り付けられている、請求項４２に記載の光収集方法。
【請求項５０】
前記ディスプレイからの光を前記光転向本体の主面の外側へ投射するステップを更に備える、請求項４９に記載の光収集方法。
【発明の詳細な説明】
【技術分野】
【０００１】
（関連出願に対する相互参照）
本出願は、２００８年９月２日に出願された特許文献１に基づく優先権を３５Ｕ．Ｓ．Ｃ．§１１９（ｅ）の下で主張する。
【０００２】
本発明は、光収集装置に関する。特に、本発明は、光電池等に光を導くプリズム構造を利用する光収集に関する。本発明も、光収集装置の使用方法及び光収集装置の製造に関する。
【背景技術】
【０００３】
マイクロ電気機械システム（ＭＥＭＳ）は、マイクロ機械素子、アクチュエータ及び電子機器を含む。マイクロ機械素子は、基板の部分をエッチングして除去し及び／又は材料層を堆積させ、又は、層を追加して電気及び電気機械装置を形成する、堆積、エッチング及び／又は他のマイクロ機械加工プロセス（ｍｉｃｒｏｍａｃｈｉｎｉｎｇ ｐｒｏｃｅｓｓｅｓ）を用いて形成され得る。一種類のＭＥＭＳ装置は、干渉変調器（ｉｎｔｅｒｆｅｒｏｍｅｔｒｉｃ ｍｏｄｕｌａｔｏｒ）と呼ばれる。ここで用いられる干渉変調器又は干渉光変調器（ｉｎｔｅｒｆｅｒｏｍｅｔｒｉｃ ｌｉｇｈｔ ｍｏｄｕｌａｔｏｒ）という用語は、干渉の原則を用いて、光を選択的に吸収し及び／又は選択的に反射する装置を指す。ある実施形態では、干渉変調器は一対の導電プレートを備え得る。一対の導電プレートの一方又は両方は適当な電気信号の適用に応じて、全部又は一部において、透明型及び／又は反射型でもよく、且つ相対運動ができる。特定の実施形態では、一対の導電プレートの一方は基板に置かれる静止層（ｓｔａｔｉｏｎａｒｙ ｌａｙｅｒ）を備えることができる。一対の導電プレートの他方はエアギャップによって、静止層から切り離される金属層（ｍｅｔａｌｌｉｃ ｍｅｍｂｒａｎｅ）を備えることができる。更に詳細に本願明細書において、記載されているように、別のプレートに対して一方のプレートの位置は干渉変調器に入射する光の干渉を変えることができる。この種の装置は広い用途を有している。
【先行技術文献】
【特許文献】
【０００４】
【特許文献１】米国仮特許出願第６１／０９３６７８号明細書
【発明の概要】
【発明が解決しようとする課題】
【０００５】
それらの特徴が既存の製品を改善して、まだ開発されていない新製品を製作する際に利用できるように、この種の装置の特徴を利用し及び／又は修正することは従来技術において、有益である。
【課題を解決するための手段】
【０００６】
幾つかの実施形態において、光収集装置が提供される。光収集装置は、光電池と、長さにわたって光の伝搬をサポートする光伝搬性材料からなる光転向本体と、備える。前記光転向本体は、第１主面と、前記第１主面に対向する第２主面と、前記光転向本体内に配置されていると共に互いに離間している複数の第１切り込み（ｓｌｉｔ）とを有する。前記複数の第１切り込みの各切り込みは、前記一主面又は前記第２主面のうちの１つのアンダーカットにより形成されている。前記複数の第１切り込みの各切り込みは、前記第１主面に入射する光を前記光電池へ転向させる。
【０００７】
幾つかの他の実施形態において、光収集装置が提供される。光収集装置は、光を導くための第１手段光収集装置の主面入射する光を転向本体を介して伝搬させるように光を導く第１手段と、前記光を受信して、該光を電気エネルギーに変換する第２手段と、を備える。
【０００８】
他の実施形態によれば、光収集方法が提供される。光収集方法は、光転向本体の表面におけるアンダーカットにより形成される複数の切れ込みのファセットに当たる光を転向するステップを備え、前記光は、前記光転向本体を介して光受信機に転向される。
【０００９】
幾つかの他の実施形態において、光収集装置の製造方法が、提供される。光収集装置の製造方法には、光転向本体にわかって光の伝搬をサポートする光伝搬性材料からなる本体を形成するステップを備える。前記本体には、複数の離間したアンダーカットが形成されている。複数の離間したアンダーカットを有する前記本体は、光電池に取り付けられている。幾つかの他の実施形態において、光収集装置はこの方法によって形成される。
【図面の簡単な説明】
【００１０】
【図１】第１の干渉変調器の移動可能な反射層が緩和位置にあると共に、第２の干渉変調器の移動可能な反射層が作動位置において、ある干渉変調器ディスプレイの一実施形態の一部を表す等角図である。
【図２】３×３干渉変調器ディスプレイを組み込んでいる電子装置の一実施形態を示すシステムブロック図である。
【図３】図１の干渉変調器の１つの例示的な実施形態における可動ミラーの位置に対する印加電圧の図である。
【図４】干渉変調器ディスプレイを駆動するために用いることができる一組の横列電圧及び縦列電圧の図である。
【図５Ａ】図２の３×３干渉変調器ディスプレイのディスプレイデータで１つの一般的なフレームを例示する図である。
【図５Ｂ】図５Ａでフレームを記述するために用いることができる横列信号及び縦列信号のための１つの一般的なタイミング図を例示する図である。
【図６Ａ】複数の干渉変調器を備える視覚的ディスプレイ装置の一実施形態を例示しているシステムブロック図である。図６Ａ及び６Ｂは、複数の干渉変調器を備える視覚的ディスプレイ装置の一実施形態を例示しているシステムブロック図である。
【図６Ｂ】複数の干渉変調器を備える視覚的ディスプレイ装置の一実施形態を例示しているシステムブロック図である。
【図７Ａ】図１の装置の断面図である。
【図７Ｂ】干渉変調器の代替の実施形態の断面図である。
【図７Ｃ】干渉変調器の他の代替の実施形態の断面図である。
【図７Ｄ】干渉変調器の更なる代替の実施形態の断面図である。
【図７Ｅ】干渉変調器の付加的な代替の実施形態の断面図である。
【図８】ディスプレイ装置の一実施形態の断面図である。
【図９】光収集装置の断面図である。
【図１０Ａ】光収集装置の一実施形態の断面図である。
【図１０Ｂ】光転向特徴体の断面図である。
【図１０Ｃ】光転向特徴体の一実施形態の断面図である。
【図１０Ｄ】光転向特徴体の一実施形態の断面図である。
【図１０Ｅ】光転向特徴体の一実施形態の断面図である。
【図１１Ａ】光転向パネルの一実施形態の断面図である。
【図１１Ｂ】ディスプレイ装置の一実施形態の平面図である。
【図１２】光収集装置の一実施形態の等角図である。
【図１３Ａ】光収集装置の他の実施形態の等角図である。
【図１３Ｂ】図１３Ａの光収集装置の平面図である。
【図１４】光収集装置の一実施形態の断面図である。
【図１５】光収集装置の他の実施形態の斜視図である。
【図１６】光収集装置の更なる別の実施形態の斜視図である。
【発明を実施するための形態】
【００１１】
以下の詳細な説明は、本発明のある特定実施形態に導く。しかし、本発明は、本明細書における開示は、異なる様々な方法において、具体化され得る。この明細書において、全ての図面において、同一又は類似の部分には類似の番号が付されるよう参照番号が図面に付与されている。以下の説明から明らかであるように、実施形態は、動く画像（例えば、ビデオ）又は動かない画像（例えば、静止画像）であるかどうかに関係なく、また文字画像又は写真画像であるかどうかに関係なく、画像を表示するように構成されるいかなる装置においても実施されることができる。より詳しくは、実施形態は、様々な電子装置において、実施され得るか又は様々な電子装置に関係され得ることが意図されている。様々な電子装置は、限定されないが、例えば携帯電話、無線デバイス、個人データアシスタント（ＰＤＡ）、ハンドヘルド型又は携帯型のコンピュータ、ＧＰＳ受信機／ナビゲータ、カメラ、ＭＰ３プレーヤ、ビデオカメラ、ゲーム機、腕時計、クロック、計算機、テレビモニタ、フラットパネルディスプレイ、コンピュータモニタ、自動ディスプレイ（例えば、走行距離計ディスプレイ、その他）、コックピット制御及び／又はディスプレイ）、カメラ用のディスプレイ（ｄｉｓｐｌａｙ ｏｆ ｃａｍｅｒａ ｖｉｅｗｓ）（例えば、車両の後部ビューカメラのディスプレイ）、電子写真、電子ビルボード又は電子記号、プロジェクタ、建築構造物（ａｒｃｈｉｔｅｃｔｕｒａｌ ｓｔｒｕｃｔｕｒｅｓ）、パッケージ、或いは美的構造物（例えば、宝石上の画像の表示）である。また、本願明細書において、記載されているものに類似する構造を有するＭＥＭＳ装置は、例えば電子スイッチングデバイスのような非表示用途に用いられることもできる。
【００１２】
本願明細書において、開示される幾つかの実施形態は、光ガイドの本体において、アンダーカットを有する光ガイドを含む光収集装置を含む。アンダーカットは、プリズム特徴物を形成し、光ガイド本体部によって、伝搬する光を回転させるか又は方向を変える。例えば、アンダーカットの壁面は、所望の方向の光を反射するファセットを形成する。幾つかの実施形態では、光ガイドの主面上に入射する光が、光ガイド本体部内を伝搬し、光を捕えるようにアンダーカットにより転向される。捕えられた光は、光ガイド本体部を介して伝搬し、最終的に、光電池に当たる。
【００１３】
例えば、幾つかの配置（arrangements）において、光源からの光は、光ガイド本体部に注入されることができ、本体を介して伝搬し、アンダーカットのファセットに当たる。ファセットは、光が光ガイド本体内で伝搬し続けるように光を転向させる。伝搬の方向は、最終的に、光が光ガイド本体部から出て進み、例えば、光電池に当たるように、選択され得る。
【００１４】
幾つの実施形態において、光ガイド本体部は、ディスプレイ装置を照らすための照明装置の一部を形成する。照明装置は、光源を含み、光ガイド本体部は、光源から光を例えば、干渉変調器を形成するディスプレイ装置へ転向させる。これらの実施形態では、光ガイド本体部が、ディスプレイの照明及び光コレクションの両方の照明のために光を転向させるのに、例えば、光電池に光を供給するのに用いられる。
【００１５】
干渉計ＭＥＭＳディスプレイ素子を備える干渉変調器ディスプレイの一実施形態が、図１に図示されている。これらの装置において、ピクセルは、明るい状態又は暗い状態にある。明るい（「緩和」又は「オープン」）状態において、ディスプレイ素子は、ユーザに入射可視光の大部分を反射する。暗い（「作用」又は「クローズ」）状態にあるときにおいて、ディスプレイ素子はユーザに入射可視光を殆ど反射しない。実施形態に応じて、「オン」状態及び「オフ」状態の光反射率の特徴は逆であることができる。ＭＥＭＳピクセルは選択された色を主に反射するように構成されることができる。ＭＥＭＳピクセルは、白黒に加えてカラーディスプレイを考慮に入れる。
【００１６】
図１は、画像ディスプレイにおける一連のピクセルのうち２つの隣接ピクセルを表す等角図である。各ピクセルはＭＥＭＳ干渉変調器を備える。幾つかの実施形態において、干渉変調器ディスプレイは、その干渉変調器の横列アレイ（ｒｏｗ ａｒｒａｙ）／縦列アレイ（ｃｏｌｕｍｎ ａｒｒａｙ）を備える。各干渉変調器は、少なくとも一つの可変的な寸法を有する共振光ギャップ（ｒｅｓｏｎａｎｔ ｏｐｔｉｃａｌ ｇａｐ）を形成するために、各々から可変的且つ制御可能な距離に置かれる一対の反射層を含む。一実施形態において、一対の反射層のうちの一方は、２つの位置の間で移動できる。本明細書において、緩和位置と記載する第一位置において、移動可能な反射層は、固定された部分的反射層（ｆｉｘｅｄ ｐａｒｔｉａｌｌｙ ｒｅｆｌｅｃｔｉｖｅ ｌａｙｅｒ）から、比較的大きな距離に配置される。本明細書において、作動位置と記載する第二位置において、移動可能な反射層は、部分的反射層により接近して配置される。２枚の層から反射する入射光は移動可能な反射層の位置に応じて建設的に、又は破壊的に干渉し、各ピクセルに対して、全体的に反射する状態又は反射しない状態を生じる。
【００１７】
図１のピクセルアレイの表示された部分は、２つの隣接する干渉変調器１２ａ及び１２ｂを含む。左側上の干渉変調器１２ａにおいて、移動可能な反射層１４ａは光学積層体１６ａから予め定められた距離での緩和位置において例示される。光学積層体１６ａは部分的反射層を含む。右側上の干渉変調器１２ｂにおいて、移動可能な反射層１４ｂは、光学積層体１６ｂに隣接する作動位置において、例示される。
【００１８】
本願明細書において、参照されるように、光学積層体１６ａ及び１６ｂ（あわせて光学積層体１６と呼ばれる）は一般的に幾つかの融解層（ｆｕｓｅｄ ｌａｙｅｒｓ）を備える。いくつかの融解層は、酸化インジウムスズ（ＩＴＯ）層のような電極層、クロム層のような部分的反射層、及び透明な絶縁体層を含むことができる。光学積層体１６は、このように電気伝導性を有すると共に、部分的に透明であり、且つ部分的に反射性を有する。光学積層体１６は、例えば、透明基材２０上に上記の層の一つ以上を堆積させることによって、作られ得る。部分的反射層は、部分的に反射する様々な材料、例えば様々な金属、半導体及び絶縁体から形成されることができる。部分的反射層は材料の一つ以上の層の形態で形成されることができ、層の各々は単一の材料又は材料の組合せの形態で形成されることができる。
【００１９】
幾つかの実施形態では、光学積層体１６の層は、平行した縞状（ｓｔｒｉｐｓ）にパターン化されて、更に後述するようにディスプレイ装置の横列電極（ｒｏｗ ｅｌｅｃｔｒｏｄｅｓ）を形成できる。移動可能な反射層１４ａ、１４ｂは、ポスト１８とポスト１８の間に堆積された中間犠牲材料（ｉｎｔｅｒｖｅｎｉｎｇ ｓａｃｒｉｆｉｃｉａｌ ｍａｔｅｒｉａｌ）層と、縦列を形成するためにポスト１８の上面の上に堆積された金属層又は複数の金属層（横列電極１６ａ、１６ｂに対して垂直な）の一連の平行したストリップとして形成されることができる。犠牲材料がエッチングされてなくなるときに、移動可能な反射層１４ａ、１４ｂは画成されたギャップ１９によって、光学積層体１６ａ、１６ｂから切り離される。アルミニウムのような高い伝導性及び高い反射性を有する材料が反射層１４のために用いられることができ、これらの縞はディスプレイ装置の縦列電極を形成できる。図１は、一定の縮尺で図示されているものではない。実施形態によっては、ポスト１８間の間隔が１０μｍ〜１００μｍのオーダーであることができ、ギャップ１９は１０００Å未満であることができる。
【００２０】
電圧が印加されない場合、図１のピクセル１２ａで示すように、機械的に緩和状態（ｍｅｃｈａｎｉｃａｌｌｙ ｒｅｌａｘｅｄ ｓｔａｔｅ）の移動可能な反射層１４ａによって、移動可能な反射層１４ａと光学積層体１６ａの間にギャップ１９が残る。しかし、選択された「横列及び縦列」に電位差（電圧）が印加されると、対応するピクセルの横列電極及び縦列電極の交差箇所で形成されるコンデンサが充電され、静電力（ｅｌｅｃｔｒｏｓｔａｔｉｃ ｆｏｒｃｅｓ）は電極を互いに引きつける。電圧が十分に高い場合、移動可能な反射層１４は変形して、光学積層体１６に押し付けられる。図１の右上のピクセル１２ｂで示すように、光学積層体１６内の誘電体層（この図に図示されていない）は、層１４と１６の間の短絡を防止できると共に、層１４と１６の間に分離距離が制御できる。印加電位差の極性に関係なく、動作（ｂｅｈａｖｉｏｒ）は同じことである。
【００２１】
図２から図５Ｂは、表示用途に干渉変調器のアレイを用いるための１つの例示的なプロセス及びシステムを例示する。
【００２２】
図２は、干渉変調器を組み込むことができる電子装置の一実施形態を例示しているシステムブロック図ある。例示の実施形態において、電子装置は、プロセッサ２１を含む。プロセッサ２１は、ＡＲＭ（登録商標）、Ｐｅｎｔｉｕｍ（登録商標）、８０５１、ＭＩＰＳ（登録商標）、Ｐｏｗｅｒ ＰＣ（登録商標）又はＡＬＰＨＡ（登録商標）のような任意の一般的な目的のシングルチップ・マイクロプロセッサ又はマルチチップ・マイクロプロセッサでもあってもよく、デジタル信号プロセッサ、マイクロコントローラ又はプログラム可能なゲートアレイのような特別な目的のマイクロプロセッサであってもよい。従来技術において使用されているように、プロセッサ２１は一つ以上のソフトウェア・モジュールを実行するように構成され得る。オペレーティングシステムを実行することに加えて、プロセッサは一つ以上のソフトウェア用途を実行するように構成されることができる。一つ以上のソフトウェア用途は、ウェブブラウザ、電話用途、電子メールプログラム又は他のいかなるソフトウェア用途も含む。
【００２３】
一実施形態において、プロセッサ２１は、アレイドライバ（ａｒｒａｙ ｄｒｉｖｅｒ）２２と通信するようにも構成される。一実施形態において、アレイドライバ２２は、ディスプレイアレイ又は表示パネル３０に信号を提供する横列ドライバ回路（ｒｏｗ ｄｒｉｖｅｒ ｃｉｒｃｕｉｔ）２４及び縦列ドライバ回路（ｃｏｌｕｍｎ ｄｒｉｖｅｒ ｃｉｒｃｕｉｔ）２６を含む。図１に図示されるアレイの断面図は、図２の線１―１により示される。図２は、簡略化のために３×３干渉変調器を示しているが、ディスプレイアレイ３０はより多くの干渉変調器を備えることができろと共に、縦列と異なる数の横列を有することができる（例えば、横列当たり３００ピックセル×縦列当たり１９０ピックセル）。
【００２４】
図３は、図１の干渉変調器の１つの例示的な実施形態における可動ミラーの位置に対する印加電圧の図である。ＭＥＭＳ干渉変調器のために、横列動作プロトコル／縦列動作プロトコルは、図３に図示される装置のヒステリシス特徴を利用できる。干渉変調器は、移動可能な層を緩和状態（ｒｅｌａｘｅｄ ｓｔａｔｅ）から作用状態（ａｃｔｕａｔｅｄ ｓｔａｔｅ）まで変形させるために１０Ｖの電位差を必要とすることができる。しかし、電圧がその値から減らされるときに、電圧が１０Ｖ以下に後退するにつれて、移動可能な層はその状態を維持する。図３の例示的実施形態において、電圧が２Ｖ以下に低下するまで、移動可能な層は完全に緩和しない。このように、印加電圧の窓が存在する。従って、図３に図示される実施形態において、約３〜７Ｖの範囲の電圧が存在する。この電圧の範囲に、装置は緩和状態又は作用状態において、安定である印加電圧の窓が存在する。これは、本明細書において、「ヒステリシス窓」又は「安定性窓」と称される。図３のヒステリシス特徴を有するディスプレイアレイのために、横列／縦列動作のプロトコルは、横列ストロボ（ｒｏｗ ｓｔｒｏｂｉｎｇ）の際に、作用されることになっているデータ送受信が開始・制御された横列のピクセルが約１０Ｖの電圧差にさらされると共に、緩和されることになっているピクセルは約０Ｖの電圧差にさらされるに設計され得る。ストロボの後で、ピクセルは約５Ｖの定常状態又はバイアス電圧差に晒され、ピクセルは横列ストロボが入った状態（ｐｕｔ ｔｈｅｍ ｉｎ）か何れかの状態のままになる。書き込まれた後、各ピクセルは、この実施形態における３Ｖ〜７Ｖの「安定性窓」の中の電位差になる。この特徴は、既存の作用状態又は緩和状態との同じ印加電圧の条件の下で、図１に示すピクセル構造を安定させる。干渉変調器の各ピクセルは、作用状態であるか又は緩和状態であるかに関わらず、基本的に固定及び可動の反射層により形成されるコンデンサであるので、この安定した状態は殆どパワーの散逸なしにヒステリシス窓内の電圧で保たれ得る。基本的に、印加ポテンシャルが固定される場合、電流はピクセル内に流入しない。
【００２５】
以下において更に説明するように、典型的用途において、画像の表示フレームは、第１の横列の作動ピクセルの所望のセットに従って縦列電極の一組に横切って（或る電圧レベルを有するそれぞれの）データ信号の一組を伝送することによって、作成されることができる。横列パルスはそれから第１横列電極に適用され、データ信号の一組に対応するピクセルを作動させる。その後、データ信号の一組は、第２横列の作動ピクセルの所望のセットに対応するために変えられる。その後、パルスは第２横列電極に適用され、データ信号の一組に従って第２横列横列の適当なピクセルを作動させる。ピクセルの第１横列は、第２横列パルスに影響を受けず、第１横列パルスの間に設定された状態が維持される。これは、順次的に一連の全て横列に対して繰り返され、フレームが生成される。通常、１秒につき幾つかの所望の数のフレームでこのプロセスを継続的に繰り返すことによって、フレームは、新しい画像データでリフレッシュされ及び／又はアップデートされる。ピクセルアレイの横列電極及び縦列電極を駆動させて画像フレームを生成する多様なプロトコルが使われることもできる。
【００２６】
図４、図５Ａ及び図５Ｂは、図２の３×３アレイ上に表示フレームを作成するための１つの可能な作動プロトコルを例示する。図４は、図３のヒステリシス曲線を示しているピクセルのために用いられ得る縦列電圧レベル及び横列電圧レベルの可能な一組を例示する。図４の実施形態において、ピクセルを起動させることには、適当な縦列を−Ｖｂｉａｓに、適当な横列を＋ΔＶにセットすることが含まれる。−Ｖｂｉａｓ及び＋ΔＶはそれぞれ、−５Ｖ及び５Ｖに対応し得る。ピクセルを緩和させることには適当な縦列を＋Ｖｂｉａｓに、適当な横列を同じ＋ΔＶにセットして、ピクセルを横切る０Ｖの電位差を生成するで達成できる。横列電圧が０Ｖで保たれるそれらの横列において、縦列が＋Ｖｂｉａｓであるか−Ｖｂｉａｓであるかに関係なく、ピクセルはそれらの第一の状態で安定になる。また、図４に図示されているように、上記の電圧と反対極性の電圧が用いられ得ることは言うまでもなく、例えば、ピクセルを起動させることには、適当な縦列をＶｂｉａｓに、適当な横列を−ΔＶにセットすることができる。この実施形態では、ピクセルを緩和させることには適当な縦列を−Ｖｂｉａｓに、適当な横列を同じ−ΔＶにセットして、ピクセルを横切る０Ｖの電位差を生成することが達成できる。
【００２７】
図５Ｂは、図５Ａに図示されるディスプレイ装置に結果としてなる図２の３×３アレイに適用される一連の横列信号及び縦列信号を示しているタイミング図である。ここで、作動ピクセルは無反射である。図５Ａに図示されるフレームを書き込む前に、ピクセルは、いかなる状態にあることができる。この例では、すべての横列が最初には０Ｖであり、すべての縦列が、＋５Ｖである。これらの印加電圧で、すべてのピクセルは、それらの既存の作用状態又は緩和状態において、安定である。
【００２８】
図５Ａのフレームにおいて、ピクセル（１，１）（１，２）（２，２）、（３，２）及び（３，３）が、作動する。これを達成するために、横列１のための「線時間」の間、縦列１及び縦列２は−５Ｖにセットされる。そして、縦列３は＋５Ｖにセットされる。これはいかなるピクセルの状態も変えない。その理由は、すべてのピクセルは３Ｖ〜７Ｖの安定性窓のままであるからである。その後、横列１は、０Ｖから５Ｖまでに至り、またゼロへ戻るパルスによって、データ送受信が開始・制御される。これは、ピクセル（１，１）及び（１，２）を作動させて、ピクセル（１，３）を緩和させる。アレイにおける他のいかなるピクセルも、影響を受けない。要望通り、横列２をセットするために、縦列２を−５Ｖに、縦列１及び３を＋５Ｖにセットする。その後、横列２に適用される同じストロボは、ピクセル（２，２）を作動させて、ピクセル（２，１）及び（２，３）を緩和させる。また、アレイの他のいかなるピクセルも、影響を受けない。横列３は、縦列２及び縦列３を−５Ｖにセットし、縦列１を＋５Ｖにセットすることでセットされる。横列３のストロボは、図５Ａに示すように横列３ピクセルをセットする。フレームを書き込んだ後に、横列電位はゼロである。縦列電位は＋５又は−５Ｖに維持されることができ、その後、表示は図５Ａのアレイにおいて、安定となる。同じ手順が多数又は何百の横列又は縦列のアレイのために使用されることができる。横列動作又は縦列動作を実行するために用いる電圧のタイミング、シーケンス及びレベルが上で概説された一般的な原則内で広く変化できる。上記の例は一般的な例に過ぎず、そして、いかなる駆動電圧方法が、本願明細書において、説明されるシステム及び方法と共に用いられることが可能である。
【００２９】
図６Ａ及び図６Ｂは、ディスプレイ装置４０の一実施形態を例示しているシステムブロック図である。ディスプレイ装置４０は、例えば、携帯電話又は移動電話でありえる。しかし、ディスプレイ装置４０又はそれの僅かな変形例の同じ構成要素は、例えばテレビ及び携帯用のメディアプレーヤの様々な形のディスプレイ装置も図示する。
【００３０】
ディスプレイ装置４０は、ハウジング４１、ディスプレイ３０、アンテナ４３、スピーカ４５、入力装置４８及びマイクロホン４６を含む。ハウジング４１は通常、様々な製造プロセスのいずれかから形成され、注入成形（ｉｎｊｅｃｔｉｏｎ ｍｏｌｄｉｎｇ）及び真空成形（ｖａｃｕｕｍ ｆｏｒｍｉｎｇ）を含む。更に、ハウジング４１は、限定的ではないが、プラスチック、金属、ガラス、ゴム及びセラミック、又はそれらの組み合わせを含む様々な材料の何れかから作られることが可能である。一実施形態において、ハウジング４１は、異なる色の他の着脱可能な部分又は異なるロゴ、画像又はシンボルを含むの他の着脱可能な部分と交換され得る着脱可能な部分（図示せず）を含む。
【００３１】
本願明細書において、記載されているように、一般的なディスプレイ装置４０のディスプレイ３０は、双安定型ディスプレイ（ｂｉ-ｓｔａｂｌｅ ｄｉｓｐｌａｙ）を含む様々なディスプレイのいずれかであってもよい。他の実施態様において、３０ディスプレイは、上記の通りの例えばプラズマ、ＥＬ、ＯＬＥＤ、ＳＴＮ ＬＣＤ又はＴＦＴ ＬＣＤのフラットパネルディスプレイ又は例えばＣＲＴ又は他の管装置の非フラットパネルディスプレイを含む。しかし、本実施形態を記載するために、本願明細書において、記載されているように、ディスプレイ３０は、干渉変調器ディスプレイを含む。
【００３２】
一般的なディスプレイ装置４０の一実施形態の構成要素は、図６Ｂにおいて、略図で例示される。図示の一般的なディスプレイ装置４０は、ハウジング４１を含んで、ハウジング４１内に少なくとも部分的に囲まれた追加部品を含むことができる。例えば、一実施形態において、一般的なディスプレイ装置４０は、アンテナ４３を有するネットワークインターフェース２７を含む。アンテナ４３はトランシーバ４７に連結する。トランシーバ４７はプロセッサ２１に接続している。プロセッサ２１はコンディショニングハードウェア５２に接続している。コンディショニングハードウェア５２は、信号を条件づける（例えば、信号をフィルタに通す）ように構成されることができる。コンディショニングハードウェア５２は、スピーカ４５及びマイクロホン４６に接続している。プロセッサ２１は、入力装置４８及びドライバコントローラ２９にも接続している。ドライバコントローラ２９は、フレームのバッファ２８及びアレイドライバ２２に連結する。アレイドライバ２２は、ディスプレイアレイ３０に連結する。電源５０は、特定の一般的なディスプレイ装置４０の設計によって、必要とされるすべての構成要素へ電力を供給する
【００３３】
一般的なディスプレイ装置４０がネットワーク上の一つ以上の装置と通信できるように、ネットワークインターフェース２７はアンテナ４３及びトランシーバ４７を含む。一実施形態において、ネットワークインターフェース２７は、プロセッサ２１の必須要件を軽減するために若干の処理能力を有することもできる。アンテナ４３は、信号を送信及び受信するためのものであって、任意のアンテナである。一実施形態において、アンテナはＩＥＥＥ ８０２．１１の（ａ）、（ｂ）又は（ｇ）を含むＩＥＥＥ ８０２．１１の標準によって、ＲＦ信号を送信及び受信する。他の実施形態では、アンテナは、ブルートゥース（ＢＬＵＥＴＯＯＴＨ）標準に従ってＲＦ信号を送信及び受信する。携帯電話の場合、アンテナは、無線携帯電話ネットワーク内での通信に用いられるＣＤＭＡ、ＧＳＭ、ＡＭＰＳ、Ｗ−ＣＤＭＡ、又は他の周知の信号を受信するように設計される。それらはプロセッサ２１によって、受け取られることができて、更に操作されることができるように、トランシーバ４７はアンテナ４３から受け取られる信号を前処理する。それらがアンテナ４３を介して一般的なディスプレイ装置４０から送信されることができるように、トランシーバ４７もプロセッサ２１から受け取られる信号を処理する。
【００３４】
代替的な実施形態では、トランシーバ４７は、受信機と置き換えられることが可能である。更に、また別の実施形態においては、ネットワークインターフェース２７は画像ソースと置き換えられることが可能である。画像ソースはプロセッサ２１に送信される画像データを格納できるか又は生成できる。例えば、画像ソースは、画像データ又は画像データを生成するソフトウェア・モジュールを含むデジタルビデオディスク（ＤＶＤ）又はハードディスクでありえる。
【００３５】
プロセッサ２１は一般に、一般的なディスプレイ装置４０の全作動を制御する。プロセッサ２１は、ネットワークインターフェース２７又は画像ソースからの圧縮イメージデータのようなデータを受信して、生の画像データに、又は、生の画像データに直ちに処理されるフォーマットにデータを処理する。その後、プロセッサ２１は、ドライバコントローラ２９に、又は、記憶のためのフレームバッファ２８に処理されたデータを送る。一般的に生データとは、画像内の各位置における画像特徴を特定する情報をいう。例えば、そのような画像特徴は、色、彩度及びグレイスケール・レベルを含むことができる。
【００３６】
一実施形態において、プロセッサ２１は、マイクロコントローラ、ＣＰＵ又は一般的なディスプレイ装置４０の動作を制御する論理回路装置を含む。コンディショニングハードウェア５２は、一般に、スピーカ４５に信号を送ると共にマイクロホン４６から信号を受け取るためのアンプ及びフィルタを含む。コンディショニングハードウェア５２は、一般的なディスプレイ装置４０内の分離された構成要素でもよいか、又はプロセッサ２１又は他の構成要素内に組み込まれることができる。
【００３７】
ドライバコントローラ２９は、プロセッサ２１によって、発生する生の画像データをプロセッサ２１又はフレームバッファ２８から直接に受け取り、アレイドライバ２２への高速伝送のために、適切に生の画像データを再フォーマットする。具体的には、ドライバコントローラ２９はラスタのようなフォーマットを有するデータフローに生の画像データを再フォーマットする。そうすると、生の画像データはディスプレイアレイ３０全体のスキャンに適している時間順序を有する。そしてドライバコントローラ２９は、アレイドライバ２２にフォーマット化された情報を送る。例えばＬＣＤコントローラのドライバコントローラ２９は、しばしば独立型集積回路（ＩＣ）としてシステム・プロセッサ２１と関係しているにもかかわらず、この種のコントローラは様々な方法で行うことができる。それらは、ハードウェアとしてプロセッサ２１に埋められることができて、ソフトウェアとしてプロセッサ２１に埋められることができ、又は、アレイドライバ２２を有するハードウェアにおいて、完全に集積されることができる。
【００３８】
一般的に、アレイドライバ２２は、ドライバコントローラ２９からフォーマット化された情報を受け取って、ピクセルの表示のｘ‐ｙマトリックスから来ている何百又は時々何千の導線に１秒につき複数回適用される波形の平行したセットにビデオデータを再フォーマットする。
【００３９】
一実施形態において、ドライバコントローラ２９、アレイドライバ２２及びディスプレイアレイ３０は、本願明細書において、記載されているディスプレイのタイプのいずれかに適切である。例えば、一実施形態において、ドライバコントローラ２９は、従来のディスプレイコントローラ又は双安定型ディスプレイコントローラ（ｂｉ-ｓｔａｂｌｅ ｄｉｓｐｌａｙ ｃｏｎｔｒｏｌｌｅｒ）（例えば、干渉変調器コントローラ）である。別の実施形態では、アレイドライバ２２は、従来のドライバ又は双安定型ディスプレイドライバ（例えば、干渉変調器ディスプレイ）である。一実施形態において、ドライバコントローラ２９は、アレイドライバ２２と一体化される。この種の実施形態は、携帯電話、腕時計及び他の小面積型ディスプレイのような高度に集積されたシステムで一般的である。更なる別の実施形態では、ディスプレイアレイ３０は、典型的なディスプレイアレイ又は双安定型ディスプレイアレイ（例えば、干渉変調器のアレイを含むディスプレイ）である。
【００４０】
入力装置４８によって、ユーザが一般的なディスプレイ装置４０の動作を制御できる。一実施形態において、入力装置４８は、ＱＷＥＲＴＹキーボード又は電話キーパッドのようなキーパッド、ボタン、スイッチ、タッチスクリーン、又は、感圧性（ｐｒｅｓｓｕｒｅ-ｓｅｎｓｉｔｉｖｅ）又は感熱性（ｈｅａｔ-ｓｅｎｓｉｔｉｖｅ）の膜を含む。一実施形態において、マイクロホン４６は、一般的なディスプレイ装置４０用の入力装置である。マイクロホン４６がデータを装置に入力するために用いるときに、音声コマンドが一般的なディスプレイ装置４０の制御動作のためにユーザにより提供され得る。
【００４１】
電源５０は、公知技術である様々なエネルギー貯蔵装置を含むことができる。例えば、一実施形態において、電源５０は、ニッケルカドミウム電池又はリチウムイオン電池のような再充電可能電池である。他の実施形態では、電源５０は、更新可能なエネルギー源、コンデンサ、又はプラスチック太陽電池及び太陽電池塗料を含む太陽電池である。他の実施形態では、電源５０は、壁面コンセント（ｗａｌｌ ｏｕｔｌｅｔ）から電力を受け取るように構成される。
【００４２】
いくつかの実施では、制御プログラム化の可能性は、上記の通り、電子ディスプレイシステムのいくつかの場所に位置することが可能なドライバコントローラに帰する。いくつかの場合では、制御プログラム化の可能性は、アレイドライバ２２に帰する。上記の最適化（ｏｐｔｉｍｉｚａｔｉｏｎｓ）が任意の数のハードウェア及び／又はソフトウェア構成要素、及び様々な構成において、行うことができる。
【００４３】
上で記載される原理に従って作動する干渉変調器の構造の詳細は、広く変更されてもよい。例えば、図７Ａ〜図７Ｅは移動可能な反射層１４及びそれの支持構造物の５つの異なる実施形態を例示する。図７Ａは図１の実施形態の断面図である。ここで、金属材１４の縞は、直交して延在する支持体１８上に堆積されている。図７Ｂにおいて、各干渉変調器の移動可能な反射層１４は、正方形又は長方形の形状を有し、綱３２に角においてのみ支持体に取り付けられる。図７Ｃにおいて、移動可能な反射層１４は正方形又は長方形の形状を有し、変形可能な層３４からぶらさがっている。変形可能な層３４は可撓性金属を備えることができる。変形可能な層３４は、変形可能な層３４の周辺部周辺で直接又は間接的に基板２０に連結される。本願明細書において、これらの連結部は、支持柱と呼ぶこととする。図７Ｄに図示される実施形態は、変形可能な層３４が静止する支持柱プラグ４２を有する。図７Ａ〜図７Ｃのような、移動可能な反射層１４はギャップの上側に浮いたままである。しかし、変形可能な層３４は変形可能な層３４と光学積層体１６の間に穴を埋めることによって、支持柱を形成しない。むしろ、支持柱は平坦化材料層の形態で形成される。平坦化材料層は支持柱プラグ４２を形成するために用いる。図７Ｅに図示される実施形態は、図７Ｄの図示した実施形態に基づくが、図７Ａ〜図７Ｃに図示される実施形態のいずれかと及び示されない付加的な実施形態と共に働くのに適していてもよい。図７Ｅに示す実施形態では、金属又は他の導電材料の追加層は、バス構造４４を形成するために用いた。これは干渉変調器の後ろに沿って信号の経路取りを可能とする。そして、さもなければ基板２０の上に形成されなければならなかった多くの電極を除去する。
【００４４】
図７に示されるそれらのような実施形態において、干渉変調器は直視型装置（ｄｉｒｅｃｔ-ｖｉｅｗ ｄｅｖｉｃｅｓ）として機能する。直視型装置において、画像は干渉変調器が配置される側とは反対側の透明基材２０の前側から見られる。これらの実施形態では、反射層１４は基板２０とは反対側の変形可能な層３４を含む反射層側上の干渉変調器の部分を光学的に保護する。これによって、遮蔽領域が画質に悪い影響を及ぼすことなく、構成されると共に作用され得る。例えば、この種の遮蔽は図７Ｅのバス構造４４を可能とし、干渉変調器の光学特徴を、そのアドレス指定から生じるアドレス指定及び動作のような干渉変調器の電気機械プロパティから切り離す能力を提供する。この分離可能な変調器の構造（ａｒｃｈｉｔｅｃｔｕｒｅ）によって、変調器の電気機械側面及び変調器の光学的な側面のために用いられる構造設計及び材料が互いに独立に選択されて、互いに独立に機能することが可能となる。更に、図７Ｃ〜図７Ｅの図示した実施形態は反射層１４の光学特徴をその機械的特徴から切り離すことに由来している付加的な利点を有する。そして、付加的な利点は変形可能な層３４により実現される。これは、反射層１４のために用いられる構造設計及び材料が光学特徴に関して最適化されることを可能にすると共に、変形可能な層３４のために用いられる構造設計及び材料が所望の機械的特徴に関して最適化されることを可能にする。
【００４５】
干渉変調器上に入射する光は、光学積層体１６と反射層１４の間の距離に応じた建設的な干渉又は破壊的な干渉によって、反射され又は吸収される。干渉変調器を用いたディスプレイのperceived 輝度（perceived brightness）及び品質（quality ）は、ディスプレイ上に入射する光に依存する。それは、その光が反射されてディスプレイの画像を生成するためのである。低い周囲照明の状態のような幾つかの状況において、照明システムは、画像を生産するためにディスプレイを照らすために用いられ得る。
【００４６】
図８は、光源１９０及び光ガイド本体部１８０を含む照明システムを有するディスプレイ装置の断面図である。光ガイド本体部１８０は、図示されているように、パネルの形であることができる。光ガイド本体部１８０は、実質的に光透過性材料（optically transmissive material）で形成される。その材料は、光ガイド本体部１８０の全長にわたる光の伝搬をサポートすることができる。例えば、光ガイド本体部１８０は、ガラス、プラスチック又は他の非常に透明な材料で形成されることができる。光ガイド本体部１８０は、光転向特徴体として切れ込み１００を利用する。切れ込み１００は、光を光源１９０からディスプレイ１８１へ転向させるように構成される。例えば、光源１９０は、点光源又は線光源でありえる。光ガイド本体部１８０は、ディスプレイ１８１に隣接して、又はディスプレイ１８１を対向して配置される。
【００４７】
幾つかの実施形態では、照明システムは、前側ライトであり、ディスプレイ１８１から反射される光は、光ガイド本体部１８０の後部を通過して、光ガイド本体部１８０から離れてユーザへ送信される。ディスプレイ１８１は、複数の空間光変調器、干渉変調器、液晶素子、電気泳動装置（electrophoretic）等の光ガイド本体部１８０の主面と平行して配置されることができる様々なディスプレイ素子を含むことができる。ディスプレイ１８１は、幾つかの実施形態におけるディスプレイ３０（図６Ａ及び図６Ｂ）である。
【００４８】
ディスプレイ装置は、光を電気エネルギーに変換する一つ以上の光電池２００（図１０Ａ）を含むこともできる。切れ込み１００に当たる光源１９０からの光はディスプレイ１８１に向けられ、例えば、ディスプレイ１８１の反対側の光ガイド本体部１８０の側面から光ガイド本体部１８０に当たる光は、光電池２００に向けられる。光は、全反射によって、切れ込み１００から光電池２００へ光ガイド本体部１８０を介して伝搬される。光電池２００へ転向された光が、太陽光線のように周囲照明（ambient light）でありえることはいうまでもない。他の配置において、光源１９０及び光電池２００は、光ガイド本体部１８０の同じ面上にある。このような配置において、光ガイド本体部１８０は、バックライトとして機能でき、ディスプレイ１８１及び周囲光源は、光ガイド本体部１８０の同じ側にある。
【００４９】
切れ込み１００が、他のプリズム状の光転向特徴体と比べて様々な効果を提供することはいうまでもない。例えば、図９の断面図において、示されているもの等の光転向特徴体が光損失に影響されやすいことは分かっている。光損失は、光電池に転向される光の量を減らすことがある。光転向特徴体８２は、ファセット８２ａ及び８２ｂにより形成される。ファセット８２ａ及び８２ｂは、表面８３と90°より大きな角度θ１を形成する。特徴体８２０のファセット８２ｂに当たっている光は、光ガイド本体部８０を介して全反射によって、光電池２００の方向に反射されることができる。しかしながら、幾つかの箇所において、光の一部は、特徴体８２１のファセット８２ａに当たることができる。ファセット８２ａは、光が光ガイド本体８０から離れて導かれるとき、光が損失されるところである。この損失された光によって、光電池２００のために捕られる光量又は光電池２００へ転向される光量が低減される。
【００５０】
図１０Ａを参照すると、切れ込み１００は、ファセット構成を提供し、本体１８０からの光の転向を減らす。切れ込み１０００に当った光は、光ガイド本体部１８０を介して全反射によって、光電池２００の方向に反射される。切れ込み１００１のファセットは、切れ込み１００１に当たるとき、光ガイド本体部１８０から再転向されるよりはむしろ、光が切れ込み１００を介して伝搬して、光電池２００へ続いて伝搬するような角度で配置される。
【００５１】
更に、特徴体８２（図９を参照）と関連して、切れ込み１００は、全反射を介して反射されない光の損失を減らす。図１０Ｂを参照すると、特徴体８２は、ファセット８２ａ及び８２ｂにより形成される。ファセット８２ａ及び８２ｂはそれぞれ、表面８３ａ及び８３ｂと90°より大きな角度θ１及びθ2を形成する。典型的に、ファセット８２ａに入射した光は、ディスプレイ（図示せず）へも反射され、又は、光ガイド本体部８０内で全反射によって、伝搬し続けることができる。しかし、法線角度（normal angle）に近い角度でファセット８２ａに入射する光は、反射されず、光ガイド本体部８０の外に伝搬され得る。ことにより、光損失が生じる。光収集用途（light collection applications）では、この光損失が、光収集効率を低下させ得る。
【００５２】
図１０Ｃを参照すると、切れ込み１００は、光ガイド本体部１８０の外へ伝搬する光を再利用することによって、光損失を減らす。例えば、光線１０３は、本体１８０から離れて伝搬するが、本体１８０に再注入される。再注入された光は、本体１８０から出て光電池２００に当たるまで全反射を介して伝搬し続ける（図示せず）。
【００５３】
図１０Ｃを継続的に参照すると、切れ込み１００は、光ガイド本体部１８０におけるアンダーカットであり、ファセット１０４及び１０６によって、画成（defined）される。「アンダーカット」によって、画成される堆積は、表面１０８が上方に向かって配置されるときに、光ガイド本体部１８０の表面１０８の直下で、少なくとも部分的に延在する。幾つかの実施形態において、ファセット１０６及び表面１０８は、角度１１０を介して連続して、９０°未満の角度１１０を定める。切れ込み１００は、光ガイド本体部１８０を形成している材料が除去されており、他の材料を充填されることができる。他の材料は、本体１８０の全反射を容易にする。他の実施態様において、切れ込み１００は、開放容積（open volume）を有することができ、固体材料が完全に除去されている。
【００５４】
図１０Ｄを参照すると、実施形態によっては、切れ込み１００が、反射防止被覆層１１２によって、覆われることができる。反射防止被覆層１１２は、望ましくない光反射を減らす効果がある。例えば、ファセット１０４を出る光に対しては、反射防止被覆層１１２は、ファセット１０６から離れる光の反射を最小化することができ、ことにより、光の本体１８０への再注入を容易にする。反射防止被覆層の様々な実施例は、限定されるものではないが、シリコン酸化物（ＳｉＯ２）層、窒化ケイ素（ＳｉＮ４）層及び酸化アルミニウム（Ａｌ２Ｏ３）層含む。
【００５５】
例示の実施形態において、切れ込み１００は、表面１０８に対して開放された堆積を形成する。図１０Ｅに関連する幾つかの他の実施形態において、切れ込み１００は、完全に光ガイド本体部１８０内に配置されることができる。例えば、切れ込み１００は、切れ込み１００と表面１０８との間の狭い接続部１１４を有して表面１０８の下で形成されることができる。各切れ込み１００の端部における接続部１１４は、例えば、光ガイド本体部１８０を形成している材料の自然な弾性力（natural resiliency）によって、又はそれらの部分上にシーラント又は接着剤を使用することによって、封止され得る。接続部１１４を封止することは、切れ込み１００の側面１０４及び１０６の端部に付着し得る外部物体から保護することによって、切れ込み１００の汚染又は切れ込み１００への損傷を減らすことができる。幾つかの他の実施形態において、狭い接続部１１４は、封止されず、接続部１１４によって、画成される開口部は、図示の切れ込み１００の断面積と比較して比較的狭い。これによって、切れ込み１００が保護される。
【００５６】
図示の切れ込み１００が必ずしも一定の縮尺で図示されているものではなく、切れ込み１００の相対的なサイズは、異なることができる。更に、ファセット１０４及び１０６の相対的な角度は、例示されたものと異なることができる。例えば、切れ込み１００の断面積は、変化できる。ファセット１０４、１０６によって、画成される相対的な方向及び角度は、切れ込みごとに変化できる。
【００５７】
図１０Ｃ〜１０Ｅに関連して、幾つかの実施形態において、ファセット１０４及び１０６は、実質的に平行でありえる。ファセット１０４、１０６は、表面１０８と平行である単一の切れ込みの側壁１０５でつながれることができる。切れ込み１００は、平行四辺形の形状を有する堆積を画成することができる。切り込みの側壁１０５の平行した方向は、本体１０２内で有利に光の全反射を容易にする。これは、平行側壁１０５が、表面１０８に同程度の角度で光を反射するからである。
【００５８】
図１１Ａに関連して、切れ込み１００は、光ガイド本体部１８０の一つ以上の表面上に配置されることができる。例えば、切れ込み１００は、本体１８０の互いに向かい合う主面１０８及び１０９上に配置されることができる。切れ込み１００を複数の表面の上に形成することによって、光ガイド本体部１９０の単位長さ当たり光をより効率的に転向させる効果を得ることができる。更に、所定の密度の光棒（light bar）１９０の単位長さ当たりの切れ込み１００において、切れ込み１００を表面１０８及び１０９の上に形成することによって、表面１０８、１０９のうちの一方だけに切れ込み１００を形成する場合と比較して、各表面１０８、１０９上の切れ込み１００間の間隔が増加できる。間隔におけるこの増加によって、高密度の切り込みのパターンの製作を容易にするという効果が得られる。所望の光転向特徴体の特性を得るために、表面１０８及び１０９の切れ込みは、総数、横断面形状、寸法、及び切れ込みと主面との間に形成された角度のうち一つ以上において、異なることができる。
【００５９】
図１１Ｂを参照すると、他の組の切れ込み１００は、光ガイド本体部１８２の端部１８４に設けられていることができる。端部１８４の切れ込み１００は、ディスプレイ（図示せず）に対応する領域１８３内に光を転向させるためにある角度をなしている。切れ込み１００の一つ以上の他の組は、上側の主面の及び／又は下側の主面に沿った領域１８３内に形成されることができ、光をディスプレイに転向させる。例えば、切れ込み１００は、光ガイド本体部１８２を切断し又は押すことにより形成され得る。
【００６０】
ディスプレイ（図８参照）の図示に加えて、光ガイド本体部１８０は、様々な他の照明用途で使うことができる。幾つかの用途で、切れ込み１００を有する光ガイド本体部１８０は、屋内用であるか屋外用の照明装置に取り入れられる。例えば、光ガイド本体部１８０は、光電池のために光が収集される間にも、光源から光を転向させることができ、部屋及び他の屋内の空間又は屋外の空間のために、天頂用照明を提供する。
【００６１】
幾つかの他の実施形態において、光ガイド本体部１８０は、光源に連結されることなく、専用の光収集システムに利用される。光電池２００は、光ガイド本体部１８０に対して様々な位置で配置されることができる。例えば、光電池２００は、本体１８０の一つ以上の角部又は端部に配置されることができる。切れ込み１００の位置、密度及び角度は、角部又は端部に位置する光電池２００に収集した光を導くように構成される。
【００６２】
図１２を参照すると、実施形態によっては、光収集ユニット２０１は、光ガイド本体部１８０の中心近くに配置された一つ以上の光電池２００を含む。切れ込み１００は、光電池２００周辺に一つ以上の円を形成する。円は同心円であることができ、そして、光電池２００は円の中心に配置されることができる。切れ込み１００は、光ガイド本体部１８０の主面１０９に入射する光（direct light）、例えば日差しを光電池２００へ導く。切れ込み１００は、連続的な円で形成されることができ、又は円の孤を形成できる。図示するように、光ガイド本体部１８０の外側の周辺部は、円形状を有する。光ガイド本体部１８０の主面の周辺部は様々な他の形状を有することができる。他の形状は、三角形又は正方形の形状を含む。
【００６３】
図１２を継続的に参照すると、一対の背中合わせ（back-to-back）の光電池２００は、光ガイド本体部１８０の中心周辺の開放容積を占める。他の実施形態において、一つ以上の光電池２００が、設けられて得る。例えば、複数の光電池２００は、光ガイド本体部１８０の中心に三角形、正方形、又は円形の形状を成すように配置されることができる。
【００６４】
実施形態によっては、図１３Ａ及び図１３Ｂを参照すると、光収集ユニット２０１は、光電池２００を含むことができる。光電池２００は、光ガイド本体部１８０から離れて所定の距離をもって配置される。例えば、光電池２００は、光ガイド本体部１８０の上側又は下側に配置されることができる。図示するように、一つ以上の光電池２００は、光ガイド本体部１８０の高さの下側に配置されることができる。光ガイド本体部１８０は、本体１８０内に捕えられる光又は本体１８０に伝搬する光の方向を変更するための構造を含む。例えば、図示するように、光ガイド本体部１８０は、中央切抜き内に形成されたファセット２０２を有する。光ガイド本体部１８０の主面１０９に入射した光は、切れ込み１００によって、ファセット２０２へ方向が変えられる。ファセット２０２は、本体１８０を介して伝搬する光の方向を下に位置する光電池２００へ変えるような角度で形成される。
【００６５】
幾つかの実施形態において、２つ以上の光ガイド本体部１８０は、積み重なることができる。図１４を参照すると、光ガイド本体部１８０ａは、光ガイド本体部１８０ｂに積み重なる。光ガイド本体部１８０ｂは、光ガイド本体部１８０ｃに積み重なる。光ガイド本体部１８０ａ、１８０ｂ及び１８０ｃには、切れ込み１００ａ、１００ｂ及び１００ｃがそれぞれ形成されている。切れ込み１００ａ、１００ｂ、１００ｃは、総数、横断面形状、寸法、及び切れ込みと切れ込みが内部に形成されている光転向本体との間に画成される角度の一つ以上において、互いに異なることができる。
【００６６】
幾つかの実施形態において、異なる角度で光ガイド本体部１８０ａ、１８０ｂ及び１８０ｃに入射する光を捕えるのに切れ込みの各セットが最適化されるように、切れ込み１００ａ、１００ｂ及び１００ｃは、上側主面１０９ａに対して、異なる角度で形成される。有利には、異なっている角度によって、光ガイド本体部１８０ａ、１８０ｂ及び１８０ｃの積層体が広範囲にわたる角度から主面１０９ａに当たっている光を集めることが可能となり、その結果、環境光源が、積層体に対して移動する際に、光収集の効率が上昇される。例えば、一日中に、太陽が空を横切る際に、このような相対的な動きが発生することができ、積層体は、太陽の動きを追うために移動する必要はない。
【００６７】
集められる光の量を増加させるために、複数の光収集ユニット２０１を利用できる。図１５を参照すると、複数の光収集ユニット２０１は、光収集システム２０３を形成する。ユニット２０１は、支持構造（support structure）、例えば、プレートに取り付けられる。
【００６８】
図１６を参照すると、光収集ユニット２０１を互いにより接に詰めるために、ユニット２０１は、六角形の形状を有して形成されることができる。有利には、六角形の形状によって、単位面積当たりユニット２０１の数を増加させつつ、光収集ユニット２０１を互いに接触させて詰められる。
【００６９】
実施形態によっては、光収集ユニット２０１は、離間して形成されることができ、その後に、光収集システム２０３を形成するように組み立てられる（図１５及び図１６を参照）。幾つかの他の実施形態において、複数の光収集ユニット２０１に対応する切れ込み１００が、材料の単一の板において、直接形成されることができる。例えば、切れ込み１００は、光電池２００の所望の位置周辺で、同心円のシートにおいて、画成されることができる。
【００７０】
光収集ユニット２０１又は光収集システム２０３のための切れ込み１００は、様々な方法により形成されることができる。幾つかの実施形態では、切れ込み１００は、例えばガラス又はプラスチックの光透過性材料からなるすでに形成された本体において、形成される。材料の本体から一部の材料を除去し、切れ込み１００を形成する。例えば、切れ込み１００は、本体を機械加工し又は本体をカットすることによって、形成されることができる。他の実施態様において、材料は、レーザーアブレーションによって、本体から除去される。レーザーアブレーション中に本体は、本体から材料を除去するレーザビームに露出される。有利に、このような方法は、材料の本体において、円又は他の曲線等の任意の形状を形成するために利用できる（図１２及び図１３Ｂを参照）。
【００７１】
他の実施形態において、切れ込み１００は、圧印加工により形成されることができる。圧印加工の際に、切れ込み１００に対応する突起を有する鋳型（die）が、光伝搬性材料からなる本体に押し付けられ、本体の切れ込み１００が形成される。切れ込み１００の形状になるように、本体を加熱して、本体が十分に可鍛性を有するようにすることができる。
【００７２】
その後、切れ込み１００を有する材料の結果として生じる本体は切断され、又は押され、複数の光収集ユニットを含む光ガイド本体部又は光収集システムのための所望の形状になる。幾つかの実施形態において、材料の本体は、所望の形状にすでに設けられており、その後、切れ込み１００が材料の本体において、形成される。
【００７３】
幾つかの他の実施形態において、光ガイド本体部のような光伝搬性材料からなる本体が形成される間に、切れ込み１００が形成される。光ガイド本体部は、パネルという形でありえる。このような方法によれば、高いスループットで、切れ込み１００の長さに沿った湾曲を殆ど有しない切れ込み１００を含む大きなパネルを形成できるという特定の効果が得られる。
【００７４】
一つの実施形態において、光伝搬性材料からなる本体は、光ガイド本体部の断面形状に対応する開口部を有する鋳型を用いた押出により形成されることができ、更に、切れ込み１００に対応する鋳型の突起を有することができる。本体を形成する材料は、切れ込み１００が延びる方向において、押され及び／又は鋳型によって、引き入れられ、所望の断面形状及び切れ込み１００を有する材料の長さを形成する。例えば、半円形の部分である曲線において、延びる切れ込み１００を形成するために、材料は、鋳型によって、移動するとき、そのまま回転できる。材料の長さは、例えば、光ガイドパネルのための所望の寸法に切断される。
【００７５】
他の実施形態において、光伝搬性材料の本体が、鋳造により形成されることができる。鋳造の際に、材料が金型に置かれ、堅くなることができる。金型は、切れ込みに対応する拡張部分を含む。一度硬化されると、光を伝搬する材料からなる本体を金型から除去する。金型は、単一の光転向本体に対応できる。他の実施態様において、金型は、材料の大きなシートを生成する。材料の大きなシートは、一つ以上の光転向本体のために所望の寸法に切られる。
【００７６】
更なる別の実施形態において、光を伝搬する材料からなる本体は、射出成形（injection molding）により形成される。射出成形において、流体材料は、金型に注入され、堅くなった後に、金型から取り出される。金型が単一のパネルに対応し、光を伝搬する材料からなる取り除かれた本体は、単一の光転向パネルとして使うことができる。金型は、材料の大きなシートを生産するために用いることができ、そのシートは、一つ以上の光転向パネルのために所望の寸法で切られる。
【００７７】
幾つかの他の実施形態において、光ガイド本体部は、その後に組み立てられる部分に形成される。その部分は、本願明細書において、開示されている何れかの方法により形成されることができる。その部分は、単一のパネルを形成するように屈折率整合材料と共に接着され、または取り付けられる。パネルの断片形成による部分によって、カーブする切れ込み１００の形成が可能となる。カーブする切れ込み１００の形成は、単一の連続構造として形成する特定の方法では困難であるかもしれない。
【００７８】
光ガイド本体部は、後に形成される光電池に取り付けられる。幾つかの実施形態では、光ガイド本体部は、ディスプレイと光収集能力を有するディスプレイ装置を形成する光源とにも取り付けられる。
【００７９】
本発明は、特定の好適な実施形態及び実施形態の文脈において、開示されているが、本発明は、特に開示された実施形態を越えて本発明の他の別の実施形態及び／又は、本発明の使用、明らかな変更例及び均等物に拡張されることは当業者により理解される。加えて、本発明の幾つかの変更例は、詳細に図と共に記載された。本発明の範囲内である他の変更態様は、この開示に基づく当業者にとって、直ちに明らかである。また、実施形態の特定の特徴および態様の様々な組合せ又は下位組合せが行われることができ、本発明の範囲内に含まれることができることに注意されたい。開示された実施形態の様々な特徴及び態様が開示発明の様々なモードを形成するために互い組み合わさられ、又を、代替できることを理解すべきである。上記の特定の開示された実施形態によって、本発明の範囲は本願明細書において、開示されたものに限定されず、特許請求の範囲だけで決定されなければならない。
【図１】
2012501556.tif 000003
【図２】
2012501556.tif 000004
【図３】
2012501556.tif 000005
【図４】
2012501556.tif 000006
【図５Ａ】
2012501556.tif 000007
【図５Ｂ】
2012501556.tif 000008
【図６Ａ】
2012501556.tif 000009
【図６Ｂ】
2012501556.tif 000010
【図７Ａ】
2012501556.tif 000011
【図７Ｂ】
2012501556.tif 000012
【図７Ｃ】
2012501556.tif 000013
【図７Ｄ】
2012501556.tif 000014
【図７Ｅ】
2012501556.tif 000015
【図８】
2012501556.tif 000016
【図９】
2012501556.tif 000017
【図１０Ａ】
2012501556.tif 000018
【図１０Ｂ】
2012501556.tif 000019
【図１０Ｃ】
2012501556.tif 000020
【図１０Ｄ】
2012501556.tif 000021
【図１０Ｅ】
2012501556.tif 000022
【図１１Ａ】
2012501556.tif 000023
【図１１Ｂ】
2012501556.tif 000024
【図１２】
2012501556.tif 000025
【図１３Ａ】
2012501556.tif 000026
【図１３Ｂ】
2012501556.tif 000027
【図１４】
2012501556.tif 000028
【図１５】
2012501556.tif 000029
【図１６】
2012501556.tif 000030
【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
光電池と、
長さにわたって光の伝搬をサポートする光伝搬性材料からなる光ガイドと、
を備え、
前記光ガイドは、
第１主面と、
前記第１主面に対向する第２主面と、
前記光ガイド内に配置されていると共に互いに離間している複数の第１切り込みと、
を有し、
前記複数の第１切り込みの各切り込みは、前記第１主面又は前記第２主面のうちの１つにおけるアンダーカットにより形成されていると共に、前記光電地から離間しており、且つ前記第１主面に入射する光を前記光電池へ反射させる光収集装置。
【請求項２】
前記複数の第１切り込みの各切り込みは、第１ファセット及び第２ファセットによって少なくとも部分的に画成される横断面形状を有し、前記第１ファセットと前記第２ファセットとが互いに向かい合っている請求項１に記載の光収集装置。
【請求項３】
前記ファセットのそれぞれは、前記光ガイド本体部の表面に延びており、
前記切れ込みは、前記光ガイド本体部の表面に対して開放されている、請求項２に記載の光収集装置。
【請求項４】
前記第１ファセットと前記第１主面との間の角度は、前記複数の第１切り込み間において変化する、請求項２に記載の光収集装置。
【請求項５】
前記第１ファセットの表面積は、前記複数の第１切り込み間において変化する、請求項２に記載の光収集装置。
【請求項６】
前記横断面形状は、実質的に平行四辺形である、請求項２に記載の光収集装置。
【請求項７】
前記複数の第１切り込みは、前記第１主面におけるアンダーカットにより形成されており、
前記光ガイドは、
複数の第２切れ込みを更に備え、
前記複数の第２切れ込みの切り込みは、前記第２主面におけるアンダーカットにより形成される、請求項１に記載の光収集装置。
【請求項８】
前記光ガイド本体部は、照明装置を形成し、
前記光収集装置は、
光を前記光ガイド本体部を介して伝搬させるように構成された光源と、
前記１主面又は前記第２主面の一方又は両方におけるアンダーカットにより形成される切れ込みと、
を更に備え、
前記切れ込みが前記第１主面及び前記第２主面の一方又は両方を介して前記光ガイド本体部から離れる前記光源からの前記光を導くように構成されている、請求項１に記載の光収集装置。
【請求項９】
ディスプレイと、
前記ディスプレイと通信すると共に画像データを処理するように構成されているプロセッサと、
前記プロセッサと通信するように構成されるメモリデバイスと、を更に備える、請求項１に記載の光収集装置。
【請求項１０】
前記ディスプレイに少なくとも一つの信号を送信するように構成されるドライバ回路を更に備える、請求項９に記載の光収集装置。
【請求項１１】
前記ドライバ回路に前記画像データの少なくとも一部を送信するように構成されたコントローラを更に備える、請求項１０に記載の光収集装置。
【請求項１２】
前記プロセッサに前記画像データを送信するように構成された画像ソース・モジュールを更に備える、請求項９に記載の光収集装置。
【請求項１３】
前記画像ソース・モジュールは、受信機、送受信機及び送信機のうちの少なくとも１つを含む、請求項１２に記載の光収集装置。
【請求項１４】
入力データを受信し、前記プロセッサに前記入力データを送信するように構成された入力装置を更に備える、請求項９に記載の光収集装置。
【請求項１５】
前記光ガイド本体部は、ディスプレイ光（a display light）を構成し、
前記光収集装置が、前記光ガイド本体部を介して前記ディスプレイへ光を伝搬するように構成された光源を更に備える、請求項９に記載の光収集装置。
【請求項１６】
前記光源からの前記光を前記ディスプレイへ転向させるように構成された複数の第３切れ込みを更に備え、
前記複数の第３切れ込みは、前記第１主面及び前記第２主面の一つ以上におけるアンダーカットにより形成されている、請求項１５に記載の光収集装置。
【請求項１７】
前記光ガイド本体部が、互いに向かい合っている第１端部及び第２端部と、互いに向かい合っている第３端部及び第４端部と、互いに向かい合っている前記第１主面及び前記第２主面により画成されており、
前記第１主面及び前記第２主面は、前記第１端部、前記第２端部、前記第３端部及び前記第４端部の間に延びており、
前記複数の第１切り込み及び前記複数の第３切り込みが、一つ以上の同じ切り込みを含み、
前記第１端部におけるアンダーカットにより形成される複数の第４切れ込みを更に備え、
前記複数の第４切れ込みは、前記第３端部から伝搬する光を前記光ガイド本体部にわたって、前記第２端部へ転向させるように構成されている、請求項１６に記載の光収集装置。
【請求項１８】
前記ディスプレイが可動反射層と固定反射層とを含む干渉変調器のアレイを備え、
前記干渉変調器が可視光を出力すると共に画素素子を形成するように構成されている、請求項１５に記載の光収集装置。
【請求項１９】
前記複数の第１切れ込みは、互いに離間する同心円又は同心半円を画成する、請求項１に記載の光収集装置。
【請求項２０】
前記同心円の中心に直近して配置された少なくとも一つの付加的な光電池を更に備え、
前記光電池及び前記少なくとも一つの付加的な光電池が少なくとも２つの異なる方向へ向かっていると共に、前記複数の第１切り込みの切り込みから転向された光を受光するように構成されている、請求項１９に記載の光収集装置。
【請求項２１】
前記同心円の中心に直近している屈折構造を更に備え、
前記屈折構造は、前記複数の第１の切れ込みの切り込みから転向された光を前記光電池へ転向させるように構成されており、
前記光ガイドは、第１の垂直レベルに配置されており、
前記光電池は、第２の垂直レベルに配置されている、請求項１９に記載の光収集装置。
【請求項２２】
前記光ガイドに積み重なっている一つ以上の追加的な光ガイドを更に備え、
前記一つ以上の追加的な光ガイドの各々は、前記一つ以上の追加的な光ガイドにおけるアンダーカットによって形成される複数の切れ込みを含む、請求項１に記載の光収集装置。
【請求項２３】
前記光収集装置の主面に入射する光を光ガイドを介して伝搬させるように光を導くと共に複数の切り込みを含む第１手段と、
前記光を受光して、該光を電気エネルギに変換する第２手段と、
を備える光収集装置。
【請求項２４】
前記複数の切れ込みが、前記光ガイドの表面におけるアンダーカットにより形成される、請求項２３に記載の光収集装置。
【請求項２５】
前記切れ込みは、前記光ガイドの表面の直下に配置される開放容積である、請求項２４に記載の光収集装置。
【請求項２６】
前記第２手段が光電池を含む、請求項２３に記載の光収集装置。
【請求項２７】
前記光ガイドを介して画像をディスプレイする第３手段を更に備える、請求項２３に記載の光収集装置。
【請求項２８】
前記第３手段が、可動反射層と固定反射層とを含む干渉変調器のアレイを備え、
前記干渉変調器が可視光を出力すると共に画素素子を形成するように構成されている、請求項２７に記載の光収集装置。
【請求項２９】
光ガイドの表面におけるアンダーカットにより形成される複数の切れ込みのファセットに当たる光を転向するステップを備え、
前記光は、前記光ガイドを介して光受信機へ転向される光収集方法。
【請求項３０】
前記光を転向させるステップは、太陽輻射を転向する工程を含む、請求項２９に記載の光収集方法。
【請求項３１】
前記光受信機は、光電池であり、
光を電気エネルギに変換するステップを更に含む、請求項２９に記載の光収集方法。
【請求項３２】
一つ以上の追加的な光ガイドを提供するステップを更に備え、
前記一つ以上の追加的な光ガイドが前記光ガイドに積み重なっており、
前記一つ以上の追加的な光ガイドのそれぞれが、前記一つ以上の追加的な光ガイドのアンダーカットにより形成された複数の切れ込みを含む、請求項２９に記載の光収集方法。
【請求項３３】
前記光ガイドの前記切れ込みは、
前記光ガイドに第１角度で入射する光を転向させるように構成されており、
前記一つ以上の追加的な光ガイドの切り込みが、
前記光ガイドに入射する光を前記第１角度と異なる一つ以上の角度で光転向させるように構成されている、請求項３２に記載の光収集方法。
【請求項３４】
ディスプレイを形成するステップを更に備え、
前記光ガイドの前記主面は前記ディスプレイの表面に取り付けられている、請求項２９に記載の光収集方法。
【請求項３５】
前記ディスプレイからの光を前記光ガイドの主面の外側へ投射するステップを更に備える、請求項３４に記載の光収集方法。
【国際調査報告】
2012501556.tif 000031
2012501556.tif 000032
2012501556.tif 000033